(57)【要約】【課題】  データ送信を、使い勝手良く行うことが可能な送信装置を提供する。【解決手段】  そこで本明細書では例えば、デジタル放送データと他のデータが混在した中で、デジタル放送に付加されているデジタル放送に関する特有情報を検出し、このデジタル放送に関する特有情報が検出されたデータについては、ネットワークを介してサーバに送信しない構成とする。  上記構成によれば例えば、適切な著作権保護をしつつ、ユーザにとって使い勝手のよいデジタル放送受信装置を提供できる。【選択図】  図１
2010021905.tif 000002
【特許請求の範囲】
【請求項１】
デジタル放送に関する特有情報が付加されたデジタル放送データを受信する受信部と、
データが入力される入力部と、
前記受信部により受信されたデータ及び/又は前記入力部により入力されたデータを記録する記録部と、
前記記録部に記録されたデータをネットワークを介してサーバに送信する送信部と、
前記受信部で受信したデジタル放送データ及び前記入力部で入力されたデータについて前記デジタル放送に関する特有情報を検出する検出部と、を備え、
前記検出部によりデジタル放送に関する特有情報を検出されたデジタル放送データは前記送信部から送信されないことを特徴とするデジタル放送受信装置。
【請求項２】
請求項１に記載のデジタル放送受信装置において、
前記デジタル放送に関する特有情報は、前記デジタル放送のネットワークを識別するネットワーク識別記述子であることを特徴とするデジタル放送受信装置。
【請求項３】
請求項１に記載のデジタル放送受信装置において、
前記デジタル放送に関する特有情報は、前記デジタル放送のサービスを識別するサービス識別記述子であることを特徴とするデジタル放送受信装置。
【請求項４】
請求項１に記載のデジタル放送受信装置において、
前記デジタル放送に関する特有情報は、前記デジタル放送のイベントを識別するイベント識別記述子であることを特徴とするデジタル放送受信装置。
【請求項５】
請求項１に記載のデジタル放送受信装置において、
前記記録部に記録されたデータをサーバに送信するためデータリストを表示する表示部を備え、
前記検出部により前記デジタル放送に関する特有情報が検出されたデータは前記データリストに表示されないことを特徴とするデジタル放送受信装置。
【請求項６】
請求項１に記載のデジタル放送受信装置において、
前記記録部に記録されたデータをサーバに送信するためデータリストを表示する表示部を備え、
前記表示部は前記検出部により前記デジタル放送に関する特有情報が検出されたデータについて前記送信部から送信不可である旨の表示を行うことを特徴とするデジタル放送受信装置。
【請求項７】
デジタル放送に関する特有情報が付加されたデジタル放送データを入力する第１の入力ステップと、
データを入力する第２の入力ステップと、
前記第１の入力ステップにより入力されたデータ及び/又は前記第２の入力ステップにより入力されたデータを記録する記録ステップと、
前記記録されたデータをネットワークを介してサーバに送信する送信ステップと、
前記デジタル放送に関する特有情報を検出する検出ステップと、を備え、
前記送信ステップにおいて送信されるデータは前記検出ステップにより検出されたデジタル放送に関する特有情報に応じて送信されることを特徴とする送信方法。
【請求項８】
請求項７に記載の送信方法において、
前記デジタル放送に関する特有情報は前記デジタル放送のネットワークを識別するネットワーク識別記述子であり、前記ネットワーク識別記述子により識別される所定ネットワークについてのデータはサーバに送信されないことを特徴とする送信方法。
【請求項９】
請求項７に記載の送信方法において、
前記デジタル放送に関する特有情報は前記デジタル放送のサービスを識別するサービス識別記述子であり、前記サービス識別記述子により識別される特定のサービスについてのデータはサーバに送信されないことを特徴とする送信方法。
【請求項１０】
請求項７に記載の送信方法において、
前記デジタル放送に関する特有情報は前記デジタル放送のイベントを識別するイベント識別記述子であり、前記イベント識別記述子により識別される特定のイベントについてのデータはサーバに送信されないことを特徴とする送信方法。
【請求項１１】
請求項７に記載の送信方法において、
前記記録ステップにて記録されたデータをサーバに送信するためデータリストを表示する表示ステップを有し、
前記検出ステップにより前記デジタル放送に関する特有情報が検出されたデータは前記データリストに表示されないことを特徴とする送信方法。
【請求項１２】
請求項７に記載の送信方法において、
前記記録ステップにて記録されたデータをサーバに送信するためデータリストを表示する表示ステップを有し、
前記検出ステップにより前記デジタル放送に関する特有情報が検出されたデータについては送信不可である旨の表示がされることを特徴とする送信方法。
【請求項１３】
デジタル放送に関する特有情報が付加されたデジタル放送データを含むデータを記録する記録部と、
前記記録部に記録されたデータをネットワークを介してサーバに送信する送信部と、
前記デジタル放送に関する特有情報を検出する検出部と、を備え、
前記検出部によりデジタル放送に関する特有情報を検出されたデジタル放送データは前記送信部から送信されないことを特徴とする送信装置。
【請求項１４】
請求項１３に記載の送信装置において、
前記デジタル放送に関する特有情報は、前記デジタル放送のネットワークを識別するネットワーク識別記述子であることを特徴とする送信装置。
【請求項１５】
請求項１３に記載の送信装置において、
前記デジタル放送に関する特有情報は、前記デジタル放送サービスを識別するサービス識別記述子であることを特徴とする送信装置。
【請求項１６】
請求項１３に記載の送信装置において、
前記デジタル放送に関する特有情報は、前記デジタル放送のイベントを識別するイベント識別記述子であることを特徴とする送信装置。
【請求項１７】
請求項１３に記載の送信装置において、
前記記録部に記録されたデータをサーバに送信するためデータリストを表示する表示部を備え、
前記検出部により前記デジタル放送に関する特有情報が検出されたデータは前記データリストに表示されないことを特徴とする送信装置。
【請求項１８】
請求項１３に記載のデジタル放送受信装置において、
前記記録部に記録されたデータをサーバに送信するためデータリストを表示する表示部を備え、
前記表示部は前記検出部により前記デジタル放送に関する特有情報が検出されたデータについて前記送信部から送信不可である旨の表示を行うことを特徴とする送信装置。
【発明の詳細な説明】
【技術分野】
【０００１】
画像、音声データを格納し送信する装置に関する。
【背景技術】
【０００２】
上記技術分野に関し、たとえば特許文献１には「地上デジタル放送の画像において、所望の印刷コンテンツを印刷すること」を課題とし、その解決手段として「受信機は放送波配信サーバから受信した放送と印刷可否情報を取得し、その情報によってそのコンテンツが印刷可能かどうかを判断し、印刷可能ならば、印刷装置に画面のハードコピーなどを送信して印刷する」ことを開示している。
【０００３】
【特許文献１】特開２００７−２７４５５９号公報
【発明の開示】
【発明が解決しようとする課題】
【０００４】
しかし、特許文献１は、受信した地上デジタルコンテンツのうち所望のコンテンツを印刷することを目的しているため、デジタル放送データと他のデータ混在した状態については考慮がされていない。
【０００５】
このため例えば、デジタル放送データと他のデータが混在した状態においてデータをサーバにアップロードしようとした場合、適切な著作権保護が困難であり、ユーザにとって使い勝手が十分ではないという課題があった。
【課題を解決するための手段】
【０００６】
そこで本明細書では例えば、デジタル放送データと他のデータが混在した中で、デジタル放送に付加されているデジタル放送に関する特有情報を検出し、このデジタル放送に関する特有情報が検出されたデータについては、ネットワークを介してサーバに送信しない構成とする。
【発明の効果】
【０００７】
上記手段によれば例えば、適切な著作権保護をしつつ、ユーザにとって使い勝手のよいデジタル放送受信装置を提供できる。
【発明を実施するための最良の形態】
【０００８】
以下、本発明によるデータ送信装置の実施形態について説明する。
【実施例１】
【０００９】
図１に本発明の第１の実施例であるデータ送信装置を含むビデオデータ転送システムを示す。
１はビデオカメラである。撮影装置１０で撮影した画像や音声のデータは、信号処理部１５で補正・圧縮等の信号処理を施された後、内蔵されたＨＤＤ１１またはブルーレイディスク媒体１２に記録される。
【００１０】
２はデータ送信装置である。ビデオカメラ１とはネットワーク３を介して接続されている。このビデオデータ転送システムにおいて、ビデオカメラ１からデータ送信装置２へのデータ送信が行われる場合、ビデオカメラ１は画像・音声データを送出するサーバとして機能する。またデータ送信装置２は、ビデオカメラ１から送出された画像・音声データを受信し、格納するクライアントとして機能する。２１は、内蔵されたＨＤＤなどのデータ格納部である。
【００１１】
５はもう一つのデータ送信装置である。同じくビデオカメラ１とはネットワーク３を介して接続されている。データ送信装置５も、ビデオカメラ１から送出された画像・音声データを受信し、格納するクライアントとして機能する。５１は、内蔵されたＨＤＤなどのデータ格納部である。
４はデータセンタであり、ビデオカメラ１で撮影した画像や音声データを格納しておけるサーバで、これもネットワーク３を介して接続されている。データセンタ４は、例えばインターネットを介して宅外に設けられ、複数のユーザが利用できる。４１は、ＨＤＤなどのデータ格納部であり、２１、２２のデータ格納部に比べ、大容量なものが使用される。
【００１２】
図２は、データ送信装置２のブロック図である。２１は前述のＨＤＤなどで構成される、データおよびそのデータに付随する関連データを格納するデータ格納部、２２は外部サーバとネットワークを介して接続するネットワーク接続部、２３は外部サーバを検出するサーバ検出部、２４は外部サーバに対しデータ転送を要求するデータ転送要求部、２５はデータ転送の制御を行うデータ転送制御部、２６は外部サーバ内に格納されているデータに付随する関連データのリストであるサーバデータリストを取得するサーバデータリスト取得部、２７はデータ格納部２１に格納されているデータに付随する関連データのリストであるローカルデータリストを管理するローカルデータリスト管理部、２８はサーバデータリストおよびローカルデータリストを表示する表示部、２９は表示手段により表示されたサーバデータリストおよびローカルデータリストから、データを選択する選択部、３０は転送されてきたデータから、デジタル放送ストリーム特有の情報(以下、デジタル放送に関する特有情報と言う)を検出する特有情報検出部である。
【００１３】
図３は、図２のデータ送信装置２がビデオカメラ１とネットワークを介して接続した場合の動作フローを示した図である。
【００１４】
ビデオカメラ１のサーバ機能が起動され、データ送出が可能となると、ネットワーク３を介して、ブロードキャストメッセージが流される。データ送信装置２では、ネットワーク接続部２２、データ転送制御部２５を介して、サーバ検出部２３において、このメッセージを受信することにより、ネットワーク３上でビデオカメラ１のサーバが新たに起動したことを検出する。
【００１５】
サーバ検出部２３で新たなサーバを検出すると、サーバデータリスト取得部２６にてサーバデータリストすなわちサーバ上のデータルのリストの取得処理を行う。そのためにまずサーバデータリスト取得部２６ではネットワーク３を介してビデオカメラ１に対しリスト要求を出力する。
【００１６】
ビデオカメラ１のリスト生成・送出部１３では、上記リスト要求を受信すると、ＨＤＤ１１またはブルーレイディスク媒体１２にアクセスすることによって、それらに格納されているデータファイルのリストを生成する。さらに、生成したリストをネットワーク３を介してデータ送信装置２に送出する。
【００１７】
データ送信装置２のサーバデータリスト取得部２６では、リスト生成・送出部１３から送出された上記リストをサーバデータリストとして受信する。
【００１８】
図４に、取得したサーバデータリストの一例を示す。各データに以下のような情報が含まれている。ファイル名は、サーバデータの名称である。種別は、動画・静止画・音声などデータの種類を示す。サーバ名はサーバを識別する名称でありこの例ではビデオカメラ１である。媒体はサーバであるビデオカメラ１において当該ファイルを格納している媒体を示す。この例ではＨＤＤはＨＤＤ１１を、ＢＤはブルーレイディスク媒体１２を示している。
【００１９】
サーバデータリストの取得を完了すると、データ転送制御部２５は、表示部２８にサーバデータリストを表示する。
【００２０】
表示部２８に表示されたサーバデータリストのうち、データ格納部２１に格納したいデータを、ユーザが選択手段２９により選択（例えばＤＥＦ２８５６．ｍｐｇ）すると、ビデオカメラ１に対し、データ要求を出力する。
【００２１】
ビデオカメラ１のデータ送出部１４では、上記データ要求を受信すると、ＨＤＤ１１またはブルーレイディスク媒体１２にアクセスすることによって、それらに格納されているデータをネットワーク３を介してデータ送信装置２に送出する。
【００２２】
データ送信装置２では、ビデオカメラ１から送信された所望のデータをネットワーク接続部２２、データ転送制御部２５を介してデータ格納部２１に格納する。
【００２３】
その際、特有情報検出部３０は、受信されたデータの中からデジタル放送ストリーム特有の情報を検出するよう動作し、その結果をローカルデータリスト管理部２７に伝える。本例では、ビデオカメラ１から受信したデータであるので、デジタル放送ストリームとは検出されない。特有情報検出部３０の動作については後述する。
【００２４】
次に、ローカルデータリスト管理部２７は、ビデオカメラ１から受信したデータ、および特有情報検出部３０での検出結果をローカルデータリストに追加する。
【００２５】
図５に、ローカルデータリストの一例を示す。ビデオカメラ１から受信したデータＤＥＦ２８５６．ｍｐｇがＰＲＯＧ００１２．ＡＶＳとして追加される。ここでは、すでに、３つのデータ、ＰＲＯＧ０００５．ＡＶＳ、ＰＲＯＧ０００７．ＡＶＳ、ＰＲＯＧ００１１．ＡＶＳが以前に格納されており、これらの３つのデータは、デジタル放送ストリームであることを検出されているものとする。この場合、デジタル放送該当とは、格納されたデータが、デジタル放送ストリームであると検出されたことを示し、デジタル放送非該当とは、格納されたデータが、デジタル放送ストリームでないと検出されたことを示す。また、媒体ＨＤＤとは、データ送信装置２のデータ格納部２１を示す。
【００２６】
次に、データ送信装置２に格納されているデータをデータセンタ４にアップロードする場合の動作について説明する。
【００２７】
図６は、図１のデータ送信装置２とデータセンタ４がネットワークを介して接続した場合の動作フローを示した図である。
【００２８】
データセンタ４ではサーバ機能が起動されており、ネットワーク３を介して、ブロードキャストメッセージが流される。データ送信装置２では、ネットワーク接続部２２、データ転送制御部２５を介して、サーバ検出部２３において、このメッセージを受信することにより、ネットワーク３上にデータセンタが起動していること検出する。
【００２９】
サーバ検出部２３で新たなサーバを検出すると、サーバデータリスト取得部２６にてサーバデータリストすなわちサーバ上のデータのリストの取得処理を行う。そのためにまずサーバデータリスト取得部２６ではネットワーク３を介してデータセンタ４に対しリスト要求を出力する。
【００３０】
データセンタ４のリスト生成・送出部４２では、上記リスト要求を受信すると、ＨＤＤ４１にアクセスすることによって、それらに格納されているデータファイルのリストを生成する。さらに、生成したリストをネットワーク３を介してデータ送信装置２に送出する。
【００３１】
データ送信装置２のサーバデータリスト取得部２６では、リスト生成・送出部４２から送出された上記リストをサーバデータリストとして受信する。
【００３２】
取得したサーバデータリストは、図示しないが、図４で示した例と同等のものである。ただし、サーバ名は、データセンタ４となる。
【００３３】
次にユーザは、表示部２８に表示されたローカルデータリストのうち、データセンタ４のデータ格納部４１に格納したいデータを、ユーザが選択手段２９により選択（例えばＤＥＦ２８５６．ｍｐｇ）すると、データセンタ４に対し、データ受信要求を出力する。
【００３４】
データセンタ４のデータ受信部４３では、上記データ受信要求を受信すると、データ送信装置２から選択され送出されたデータをネットワーク３を介して、ＨＤＤ４１に格納する。
【００３５】
この際、図５に示したような、ＰＲＯＧ０００５．ＡＶＳ、ＰＲＯＧ０００７．ＡＶＳ、ＰＲＯＧ００１１．ＡＶＳはデジタル放送ストリームであると検出されたデータであるので、選択手段２９は、これらのデータを選択できないように処理する。この処理の詳細は後述する。
【００３６】
以上によって、本実施例では、サーバであるデータセンタ４をデータ送信装置２が自動的に検出し、ユーザはデータ送信装置２に表示されるデータ格納部のデータの中から必要なデータを選択して、簡単にデータセンタ４のデータ格納部４１にコピーさせることが可能となり、さらにデジタル放送ストリームのような、著作権を持つ画像や音声データをコピーできないように保護することが可能となり、安全にしかも容易にデータ移動を実現できユーザの利便性が格段に向上する。
【実施例２】
【００３７】
（デジタル放送受信装置）
図７は本発明によるデータ送信装置の他の一実施形態を示すブロック図である。
【００３８】
図７において、２は本発明のデータ送信装置の一実施例であるデジタル放送受信装置たるデジタルテレビ、１０１は映像信号入力端子、１０２は、音声信号入力端子、１０３は映像信号Ａ／Ｄコンバータ、１０４は音声信号Ａ／Ｄコンバータ、１０５はコピー制限情報検出回路、１０７は映像信号圧縮回路、１０８は音声信号圧縮回路、１０９はシステムエンコーダ、１１０はバッファ制御回路、１１１は記録用バッファ、１１２は再生用バッファ、２１１はデジタルテレビ２に固定し内蔵される例えばハードディスクで構成される内蔵記録媒体、２１２はデジタルテレビ２に着脱可能な例えばハードディスクで構成される外付け記録媒体、１１４はシステムデコーダ、１１５は映像信号伸張回路、１１６は音声信号伸張回路、１１７は映像信号Ｄ／Ａコンバータ、１１８は音声信号Ｄ／Ａコンバータ、１１９は映像信号出力端子、１２０は音声信号出力端子、２２はネットワーク接続回路、１２４はネットワーク接続端子、１２１は制御回路、１２２はグラフィックス回路、１２３は表示パネル、１２５はリモコン受信素子である。また、１０６１は映像信号切り換えスイッチ、１０６２は音声信号切り換えスイッチ、１１１は記録用バッファ、１１２は再生用バッファ、１２２１は暗号回路、１２２２は復号回路、１４１はデジタル放送信号入力端子、１４２はデジタルチューナ、１３３はデジタル信号切り換えスイッチである。
【００３９】
映像信号入力端子１０１から入力された映像信号は、映像信号Ａ／Ｄコンバータ１０３においてデジタル信号に変換され、コピー制限情報検出回路４０５に入力されるとともに、映像信号圧縮回路１０７に入力される。コピー制限情報検出回路４０５では、例えば、映像信号の垂直帰線区間に重畳されているコピー制限情報を検出する。コピー制限情報としては、コピー可、世代コピー可、コピー禁止の意味を持つ情報であり、コピー禁止の場合は、以下の動作は行わない。
【００４０】
映像信号圧縮回路１０７では、例えば、映像圧縮符号化方式としてＩＳＯ／ＩＥＣ１３８１８−２（通称ＭＰＥＧ２Ｖｉｄｅｏ）ＭＰ＠ＭＬ（Ｍａｉｎ  Ｐｒｏｆｉｌｅ＠Ｍａｉｎ  Ｌｅｖｅｌ）規格に準拠した圧縮符号化データを生成する。その他、映像圧縮符号化方式としては、特に限定するものではなく、ＪＰＥＧ規格方式などでもよい。生成した圧縮符号化映像データは、システムエンコーダ１０９に入力される。
【００４１】
また、音声信号入力端子１０２から入力された音声信号は音声信号Ａ／Ｄコンバータ１０４において所定のサンプリングレートによりアナログ／デジタル変換が行われる。デジタル信号に変換された音声信号は、音声信号圧縮回路１０８に入力される。音声信号圧縮回路１０８では、例えば、音声圧縮符号化方式としてＩＳＯ／ＩＥＣ１３８１８−１（通称ＭＰＥＧ２Ａｕｄｉｏ）規格に準拠した圧縮符号化データを生成する。生成した圧縮符号化音声データは、システムエンコーダ１０９に入力される。音声圧縮符号化方式についても特に限定するものではない。
【００４２】
システムエンコーダ１０９に入力された圧縮符号化映像データおよび圧縮符号化音声データは、それぞれパケット化、および多重化され、一本のシステムストリームに変換された後、バッファ制御回路１１０を介して記録用バッファ１１１に入力される。システムストリームには、付加情報として、元映像のサイズ、縦横比、システムストリーム中の圧縮符号化映像データおよび圧縮符号化音声データのビットレート等が追加される。
【００４３】
記録用バッファ１１１に蓄積されたシステムストリームは、バッファ制御回路１１０を介して記録媒体２１１あるいは記録媒体２１２に記録される。
【００４４】
デジタル放送信号入力端子１４１からは、衛星、ケーブル等から放送されたデジタル放送信号データが入力され、デジタルチューナ１４２において復調、選局処理がなされシステムストリームとして、デジタル信号切り換えスイッチ１３３を介して、記録媒体２１１、あるいは記録媒体２１２に記録される。ここで、上記デジタル放送信号データには後述するデジタル放送に関する特有情報が付加されている。尚、前述のコピー制限情報もこのデジタル放送に関する特有情報に含まれている。
【００４５】
ここで、記録されるシステムストリームのコピー制限情報が世代コピー可の制限をもつ場合、暗号回路１２２１にてシステムストリームが暗号化され、記録媒体に記録される。暗号化は、記録バッファ１１１に格納されているシステムストリームを暗号回路１２２１で暗号化し、再度記録バッファ１１１に格納し、その暗号化されたシステムストリームをバッファ制御回路１１０を介して、記録媒体２１１、２１２に記録する。暗号化の際の鍵は、例えば、デジタルテレビ２の持つ固有情報、記録媒体２１１、２１２の持つ固有情報、そのほか乱数などから生成される。
【００４６】
ここで、記録媒体２１１、２１２に記録されているシステムストリームの管理は、制御回路１２１で行われ、システムストリームリストとして管理されている。
【００４７】
制御回路１２１では、記録媒体２１１，２１２に記録されるシステムストリームがデジタル放送信号か否かを、デジタル放送のシステムストリーム特有の情報を検出することで、他のシステムストリームと区別し、システムストリームリストにて管理する。
【００４８】
記録媒体２１１あるいは２１２から再生されるシステムストリームは、バッファ制御回路１１０を介して再生用バッファ１１２に格納される。さらに、バッファ制御回路１１０を介してシステムデコーダ１１４に入力される。システムデコーダ１１４に入力されたシステムストリームは、圧縮符号化映像データ、および圧縮符号化音声データのパケットにそれぞれ分離され、各々のパケットから取り出した圧縮符号化映像データは、映像信号伸張回路１１５に、また圧縮符号化音声データは、音声信号伸張回路１１６に入力される。映像信号伸張回路１１５で圧縮符号化映像データの伸張が施された後、グラフィックス回路１２２にて付属映像情報が重畳され、表示パネル１２３に出力される。また、映像信号が映像信号Ｄ／Ａコンバータ１１７に、音声信号が音声信号Ｄ／Ａコンバータ１１８に入力され、アナログ信号に変換され、映像信号出力端子１１９、音声信号出力端子１２０から出力される。
【００４９】
また、記録媒体２１１、２１２に格納されているシステムストリームが暗号化されている場合は、復号回路１２２２にて暗号が復号化される。記録媒体２１１、２１２から再生したシステムストリームは、バッファ制御回路１１０を介して一旦再生バッファ１１２に格納され、復号回路１２２２で復号化し、再度再生バッファ１１２に格納し、その復号化されたシステムストリームをバッファ制御回路１１０を介して、システムデコーダ１１４に供給する。復号化の際の鍵は、記録時同様、例えば、デジタルテレビ２の持つ固有情報、記録媒体２１１、２１２の持つ固有情報、そのほか乱数などから生成され記録時の暗号化の際の鍵と同じ鍵が生成され用いられる。
【００５０】
なお、記録用バッファ１１１、および再生用バッファ１１２は、例えば半導体メモリで構成され、それぞれ別個の半導体チップで構成してもよいし、同一の半導体チップ上で、その記憶領域を分けて実現してもよい。
【００５１】
また、記録媒体２１１から記録媒体２１２へ、あるいはその逆のダビング、移動も考えられる。
【００５２】
その方法として、一つの例は、記録媒体２１１から再生したシステムストリームがバッファ制御回路１１０を介して再生用バッファ１１２に格納され、復号回路１２２２で復号され再度再生用バッファ１１２に格納されたシステムストリームが、バッファ制御回路１１０を介して、記録用バッファ１１１に格納された後、暗号回路１２２１で暗号化され、再度記録用バッファ１１１に格納された後、バッファ制御回路１１０を介して記録媒体２１２に記録される方法があげられる。
【００５３】
また、別の方法として、記録媒体２１１から再生されたシステムストリームを復号して、再生用バッファ１１２からシステムデコーダ１１４に、バッファ制御回路１１０により供給し、映像信号および音声信号を伸張した後、映像信号切り換えスイッチ１０６１、音声信号切り換えスイッチ１０６２により再度映像信号圧縮回路１０７、音声信号圧縮回路１０８にて圧縮符号化し、システムエンコーダ１０９にて得られたシステムストリームをバッファ制御回路１１０により記録用バッファ１１１に格納、暗号回路１２２１で暗号化の後、記録媒体２１２に記録する方法もある。
【００５４】
この場合、映像信号圧縮回路１０７、音声信号圧縮回路１０８にて、記録媒体２１１から再生したシステムストリームのビットレートより低いビットレートで圧縮符号化することにより、映像信号、音声信号の品質は劣化するが、記録媒体２１２の記録領域を有効に確保できる。本実施例では、一度伸張した映像、音声信号を再度圧縮する方式を示したが、別途伸張圧縮を一度に行える、いわゆるトランスコーダを用いてもよい。あるいは、さらい映像伸張回路を追加することで、番組の視聴を妨げずに上記動作を行うことが可能になる。
【００５５】
なお、記録用バッファ１１１ａ、再生用バッファ１１２ａ、記録用バッファ１１１ｂ、および再生用バッファ１１２ｂは、例えば半導体メモリで構成され、それぞれ別個の半導体チップで構成してもよいし、同一の半導体チップ上で、その記憶領域を分けて実現してもよい。
【００５６】
ネットワーク接続端子１２４からは、前述のネットワークを介して接続されるビデオカメラなどの外部サーバとのメッセージ、リスト要求、サーバデータリスト、データ送受信要求、データであるシステムストリームが入出力される。
【００５７】
外部サーバからのデータをコピーする場合は、前述のように、サーバデータリストを取得すると、グラフィクス回路１２２により、表示パネル１２３に表示させる。ユーザは、表示されたサーバデータリストの中から、図示しないリモコンを用いてコピーしたいデータを選択すると、リモコン受信素子１２５から制御回路１２１により、指令が入力され、ネットワーク接続回路２２から、外部サーバに対し、データ要求を出力する。外部サーバから送信されたデータは、ネットワーク接続端子１２４、ネットワーク接続回路２２、バッファ制御回路１１０を介して記録バッファ１１１に格納される。あとは、前述と同様、記録媒体２１１あるいは記録媒体２１２に外部サーバから受信したデータであるシステムストリームが記録される。
【００５８】
さらに、外部サーバに対して、記録媒体２１１、２１２に格納されているシステムストリームをコピーする場合は、前述のように、ローカルデータリストを、グラフィクス回路１２２により、表示パネル１２３に表示させる。ユーザは、表示されたローカルデータリストの中から、図示しないリモコンを用いてコピーしたいデータを選択すると、リモコン受信素子１２５から制御回路１２１により、指令が入力され、記録媒体２１１あるいは２１２からバッファ制御回路１１０を介して再生バッファ１１２に選択されたシステムストリームが格納される。ネットワーク接続回路２２から、外部サーバに対し、データ受信要求を送信し、再生バッファ１１２に格納されたシステムストリームが、バッファ制御回路１１０、ネットワーク接続回路２２、ネットワーク接続端子１２４を介して、外部サーバに送信される。ただし、デジタル放送によるシステムストリームについては、ユーザの選択ができないように制御回路１２１により制御される。この処理の詳細は後述する。
【００５９】
また、世代コピー制限の付いたシステムストリームを転送する場合は、前述のように、暗号回路１２２１、復号回路１２２２を用いてシステムストリームの暗号、復号をおこなってもよいし、暗号化されたまま、記録媒体２１１、２１２への記録再生を行ってもよい。
【００６０】
以上のように、ユーザは、デジタルテレビ２のリモコンを用いて、外部サーバからのデータのコピーを容易に行うことが可能であり、また、外部サーバへのデータのコピーを行う際には、著作権を持つデジタル放送の画像や音声データをコピーできないようにしながら、容易に行うことが出来る。
【実施例３】
【００６１】
（デジタル放送受信機能を持たないデータ送信装置）
図８は本発明によるデータ送信装置の他の一実施形態を示すブロック図である。
【００６２】
図８において、５は本発明のデータ送信装置の一実施例であるネットワークプレーヤであり、図７に示したデジタル放送の受信機能および表示パネルを有しない。５０１は映像信号入力端子、５０２は、音声信号入力端子、５０３は映像信号Ａ／Ｄコンバータ、５０４は音声信号Ａ／Ｄコンバータ、５０５はコピー制限情報検出回路、５０７は映像信号圧縮回路、５０８は音声信号圧縮回路、５０９はシステムエンコーダ、５１０はバッファ制御回路、５１１は記録用バッファ、５１２は再生用バッファ、６１１はネットワークプレーヤ５に固定し内蔵される例えばハードディスクで構成される内蔵記録媒体、６１２はネットワークプレーヤ５に着脱可能な、例えばハードディスクで構成される外付け記録媒体、５１４はシステムデコーダ、５１５は映像信号伸張回路、５１６は音声信号伸張回路、５１７は映像信号Ｄ／Ａコンバータ、５１８は音声信号Ｄ／Ａコンバータ、５１９は映像信号出力端子、５２０は音声信号出力端子、５２はネットワーク接続回路、５２４はネットワーク接続端子、５２１は制御回路、５２２はグラフィックス回路、５２５はリモコン受信素子である。また、５１１は記録用バッファ、５１２は再生用バッファ、５２２１は暗号回路、５２２２は復号回路である。
【００６３】
ネットワーク接続端子５２４からは、前述のネットワークを介して接続されるビデオカメラなどの外部サーバとのメッセージ、リスト要求、サーバデータリスト、データ送受信要求、データであるシステムストリームが入出力される。
【００６４】
外部サーバからのデータをコピーする場合は、前述のように、サーバデータリストを取得すると、グラフィクス回路５２２により、映像信号出力端子５１９に出力する。ユーザは、映像信号出力端子５１９に接続された図示しない表示装置に表示されたサーバデータリストの中から、図示しないリモコンを用いてコピーしたいデータを選択すると、リモコン受信素子５２５から制御回路５２１により、指令が入力され、ネットワーク接続回路５２から、外部サーバに対し、データ要求を出力する。外部サーバから送信されたデータは、ネットワーク接続端子５２４、ネットワーク接続回路５２、バッファ制御回路５１０を介して記録バッファ５１１に格納される。あとは、前述と同様、記録媒体６１１あるいは記録媒体６１２に外部サーバから受信したデータであるシステムストリームが記録される。
【００６５】
この際、制御回路５２１では、記録媒体６１１，６１２に記録されるシステムストリームがデジタル放送信号か否かを、デジタル放送のシステムストリーム特有の情報を検出することで、他のシステムストリームと区別し、システムストリームリストにて管理する。デジタル放送のシステムストリーム特有の情報を検出については後述する。
【００６６】
さらに、外部サーバに対して、記録媒体６１１、６１２に格納されているシステムストリームをコピーする場合は、前述のように、ローカルデータリストを、グラフィクス回路５２２により、図示しない表示装置に表示させる。ユーザは、表示されたローカルデータリストの中から、図示しないリモコンを用いてコピーしたいデータを選択すると、リモコン受信素子５２５から制御回路５２１により、指令が入力され、記録媒体６１１あるいは６１２からバッファ制御回路５１０を介して再生バッファ１１２に選択されたシステムストリームが格納される。ネットワーク接続回路２２から、外部サーバに対し、データ受信要求を送信し、再生バッファ１１２に格納されたシステムストリームが、バッファ制御回路１１０、ネットワーク接続回路２２、ネットワーク接続端子１２４を介して、外部サーバに送信される。ただし、デジタル放送によるシステムストリームについては、前述のように、ユーザの選択ができないように制御回路５２１により制御される。
【００６７】
また、コピー世代制限の付いたシステムストリームを転送する場合は、前述のように、暗号回路５２２１、復号回路５２２２を用いてシステムストリームの暗号、復号をおこなってもよいし、暗号化されたまま、記録媒体６１１、６１２への記録再生を行ってもよい。
【００６８】
以上のように、ユーザは、ネットワークプレーヤ５のリモコンを用いて、外部サーバからのデータのコピーを容易に行うことが可能であり、また、外部サーバへのデータのコピーを行う際には、著作権を持つデジタル放送の画像や音声データをコピーできないようにしながら、容易に行うことが出来る。
【実施例４】
【００６９】
また、同様の動作を前述のデジタルテレビ２のリモコンを用いて行うことも可能である。
【００７０】
図９は、その場合の動作フローを示した図である。
【００７１】
ネットワークプレーヤ５のサーバ機能が起動され、データ送出が可能となると、ネットワーク３を介して、ブロードキャストメッセージが流される。デジタルテレビ２では、ネットワーク接続部２２、データ転送制御部２５を介して、サーバ検出部２３において、このメッセージを受信することにより、ネットワーク３上でネットワークプレーヤ５のサーバが新たに起動したことを検出する。
【００７２】
サーバ検出部２３で新たなサーバを検出すると、サーバデータリスト取得部２６にてサーバデータリストすなわちサーバ上のデータルのリストの取得処理を行う。そのためにまずサーバデータリスト取得部２６ではネットワーク３を介してネットワークプレーヤ５に対しリスト要求を出力する。
【００７３】
ネットワークプレーヤ５のリスト生成・送出部５３では、上記リスト要求を受信すると、記録媒体６１１または記録媒体６１２にアクセスすることによって、それらに格納されているデータファイルのリストを生成する。さらに、生成したリストをネットワーク３を介してデジタルテレビ２に送出する。
【００７４】
デジタルテレビ２のサーバデータリスト取得部２６では、リスト生成・送出部１３から送出された上記リストをサーバデータリストとして受信する。
【００７５】
サーバデータリストの取得を完了すると、データ転送制御部２５は、表示部２８にサーバデータリストを表示する。
【００７６】
表示部２８に表示されたサーバデータリストのうち、データ格納部２１に格納したいデータを、ユーザが選択手段２９により選択すると、ネットワークプレーヤ５に対し、データ要求を出力する。
【００７７】
ネットワークプレーヤ５のデータ送出部５４では、上記データ要求を受信すると、記録媒体６１１または記録媒体６１２にアクセスすることによって、それらに格納されているデータをネットワーク３を介してデジタルテレビ２に送出する。
【００７８】
デジタルテレビ２では、ネットワークプレーヤ５から送信された所望のデータをネットワーク接続部２２、データ転送制御部２５を介してデータ格納部２１に格納する。
【００７９】
さらにデジタルテレビ２のリモコンを用いてネットワークプレーヤ５に格納されているデータを、宅外のデータセンタ４に対してコピーすることも可能である。
データセンタ４に対して、記録媒体６１１、６１２に格納されているシステムストリームをコピーする場合は、前述のように、ネットワークプレーヤ５のサーバデータリストを、グラフィクス回路１２２により、表示パネル１２３に表示させる。ユーザは、表示されたサーバデータリストの中から、図示しないリモコンを用いてコピーしたいデータを選択すると、リモコン受信素子１２５から制御回路１２１により、指令が入力され、記録媒体６１１あるいは６１２からバッファ制御回路５１０を介して再生バッファ５１２に選択されたシステムストリームが格納される。ネットワーク接続回路５２から、データセンタ４に対し、データ受信要求を送信し、再生バッファ５１２に格納されたシステムストリームが、バッファ制御回路５１０、ネットワーク接続回路５２、ネットワーク接続端子５２４を介して、データセンタ４に送信される。ただし、デジタル放送によるシステムストリームについては、ユーザの選択ができないように制御回路５２１により制御される。この処理の詳細は後述する。
【実施例５】
【００８０】
（特有情報の検出）
次に、前述のデジタル放送に関する特有情報の検出方法について述べる。
【００８１】
デジタル放送に関する特有情報としては、デジタル放送のネットワークを識別するネットワーク識別記述子、デジタル放送の放送事業者名、チャンネル名等のデジタル放送のサービスを識別するサービス識別記述子、デジタル放送の番組名、番組情報等のデジタル放送のイベントを識別するイベント識別記述子、デジタル放送のチャンネル番号を示す情報、デジタル放送の放送局のロゴを示す画像情報、コピー制御情報などがあげられる。
【００８２】
例えば、デジタル放送のチャンネル番号を示す情報は、ＩＳＯ／ＩＥＣ１３８１８−１（通称ＭＰＥＧ２Ｓｙｓｔｅｍ）規格で規定されている、プログラムアソシエーションセクションのｐｒｏｇｒａｍ＿ｎｕｍｂｅｒ、トランスポートストリームプログラムマップセクションのｐｒｏｇｒａｍ＿ｎｕｍｂｅｒに格納される。そのほか、プライベートデータを格納するトランスポートパケットに格納してもよい。
【００８３】
図１０はデジタル放送の伝送信号及び伝送信号より選択された信号の構成図である。７１はトランスポートパケットである。通常、デジタル放送は、映像信号、音声信号、およびプログラムに関する情報等が付加され、複数チャンネルのプログラムが時分割多重されて伝送される。
【００８４】
図１０（ａ）は、３チャンネルのプログラムを多重した例であり、Ｖ１、Ｖ２、Ｖ３はそれぞれのチャンネルの映像信号、Ａ１、Ａ２、Ａ３はそれぞれのチャンネルの音声信号のパケットである。なお、映像または音声は、一つのチャンネルに複数の映像または音声で構成されている場合もある。Ｐ０、Ｐ１、Ｐ２、Ｐ３はプログラムに関する情報である。それぞれのパケットは、異なるパケット識別番号が割り当てられており、これによりパケットの内容を識別することができる。
【００８５】
Ｐ０は、図１０（ａ）の伝送信号全体に関する情報であり、それぞれのプログラムにどのパケット識別番号が割り当てられているかを認識するためのデジタル放送に関する特有情報の検出方法を格納するプログラムアソシエーションテーブル、番組ガイド情報等のパケットが時分割多重されて伝送される。Ｐ１、Ｐ２、Ｐ３は、それぞれのプログラムに関する情報であり、そのチャンネルの映像パケット、音声パケット等にどのパケット識別番号が割り当てられているかを認識するためのトランスポートストリームプログラムマップセクションが格納されるプログラムマップテーブル、スクランブル情報等のパケットが時分割多重されて伝送される。通常、プログラムアソシエーションテーブルのパケット識別番号は決まった値、例えば０が割り当てられている。
【００８６】
受信時には、まずプログラムアソシエーションテーブルによって受信したいプログラムのプログラムマップテーブルにどのパケット識別番号が割り当てられているかを認識し、次に、受信したいプログラムのプログラムマップテーブルによって映像パケット、音声パケット等にどのパケット識別番号が割り当てられているかを認識する。そして、映像パケットおよび音声パケットを抽出する。ＣＲは、デジタル圧縮データの復号時の同期をとるためのプログラムクロックリファレンス情報である。
もちろん、多重するチャンネル数は３チャンネル以外、例えば４チャンネルでもよいし、また、これ以外の情報を多重してもよい。
【００８７】
図１０（ｂ）は、図１０（ａ）から第１のチャンネルの情報およびそれに関連したプログラム情報のみを選択したものである。第１のチャンネルを記録する場合には、この情報をデジタル放送チューナ１４２から出力する。さらに、選択したチャンネルが元々属していた放送の種別に関する情報を含めて記録する。例えば、それらの情報をプライベートデータを格納するセレクション情報テーブルという形でトランスポートパケット化され、図１０（ｂ）のストリームにＳ１のように挿入される。このＳ１には、デジタル放送のネットワークを識別するネットワーク識別記述子、デジタル放送の放送事業者名、チャンネル名等のデジタル放送のサービスを識別するサービス識別記述子、デジタル放送の番組名、番組情報等のデジタル放送のイベントを識別するイベント識別記述子、デジタル放送のチャンネル番号を示す情報、デジタル放送の放送局のロゴを示す画像情報、コピー制御情報などが格納される。これらを、図７の制御回路１２１で識別することで、デジタル放送に関する特有情報の検出でき、すなわちデジタル放送ストリームであることが識別できる。
【００８８】
上記は、一例であり、一つの情報を用いてもよいし、複数の情報の組み合わせで判断してもよい。上記以外にも、デジタル放送ストリーム特有の情報があれば、それを用いてもよい。
【００８９】
また、上述してきた実施例においては、デジタル放送に関する特有情報を検出し、これによりデジタル放送ストリームをあることを検出し、このストリームについてはネットワークを介してサーバに送信しない構成をとっているが、必ずしもこれに限定されない。
【００９０】
例えば、上述した図７の制御回路１２１が、ネットワーク識別記述子を検出し、検出した特定のネットワークについてのデータはサーバに送信しないように制御するように構成してもよい。これにより、例えば、特定のネットワークについてのみサーバへ送信不可となり、その他のデータは送信可能とすることができ、ネットワーク毎の著作権保護が可能となり、ユーザにとって使い勝手の良い装置を提供することが可能となる。
【００９１】
また、例えば、上述した図７の制御回路１２１が、サービス識別記述子を検出し、検出した特定のサービスについてのデータはサーバに送信しないように制御するように構成してもよい。これにより、例えば、特定のサービスについてのみサーバへ送信不可となり、その他のデータは送信可能とすることができ、サービス毎の著作権保護が可能となり、ユーザにとって使い勝手の良い装置を提供することが可能となる。
【００９２】
さらにまた、例えば、上述した図７の制御回路１２１が、サービス識別記述子を検出し、検出した特定のイベントについてのデータはサーバに送信しないように制御するように構成してもよい。これにより、例えば、特定のイベントについてのみサーバへ送信不可となり、その他のデータは送信可能とすることができ、イベント毎の著作権保護が可能となり、ユーザにとって使い勝手の良い装置を提供することが可能となる。
【実施例６】
【００９３】
（特有情報の記録）
図１１に、上記に述べた画像や音声のデータおよびそのデータに付随する関連データを、実際に前述の記録媒体上２１１，２１２などに、どのようなファイル構成で記録するかの一例を示す。本記録媒体は、ハードディスクドライブのようなデジタル記録再生を行う媒体であり、記録媒体上の各ファイルは、いわゆるパーソナルコンピュータなど記録媒体の管理に用いられるのと同様のファイルシステムで管理されている。
【００９４】
同図においてＲＯＯＴ８００は、ファイルディレクトリの最上位階層を示し、ＴＶＲ８０１はその下層のディレクトリであり、本発明にかかる図５に              示した管理構造を実現する各ファイル構造を示したものである。
【００９５】
ＴＶＲＥＣ．ＭＧＲ８０２、ＰＧＲＧ．ＭＧＲ８０３、ＰＧＲＧ＿ＩＮＦ．ＴＢＬ８０４、ＰＧＲ．ＭＧＲ８０５、ＰＧＲ＿ＩＮＦ．ＴＢＬ８０６、ＵＰＧＲ．ＭＧＲ８０７、ＵＰＧＲ＿ＩＮＦ．ＴＢＬ８０８、ＵＤＦＦ．ＭＧＲ８０９、ＵＤＦＦ＿ＩＮＦ．ＴＢＬ８１０、などの管理ファイルと、映像と音声の多重化されたＡＶストリームＰＲＯＧ０００１．ＡＶＳ８２０、・・・ＰＲＯＧｘｘｘｘ．ＡＶＳ（ＡＶストリームファイルのｘｘｘｘの部分は番号付けされ、たとえばＡＶストリームが記録されるごとに順次番号が増えていく）８２１がＴＶＲ８０１の下に記録される。８３０はさらにＴＶＲ８０１下のディレクトリで、記録媒体に記録されたナビゲーション一覧などに使用するサムネール関連のファイルを格納するためのディレクトリ名ＴＮＤというディレクトリである。８３１はファイル名ＴＮＤ．ＭＧＲというサムネールの実体ファイル８３２、８３３、・・・、８３４を統合管理するサムネール管理ファイルである。サムネールの実体ファイルのファイル名は、８３４に示したようにＴＮｘｘｘｘｙｙ．ｚｚｚとし、ｘｘｘｘはサムネールに関連するプログラムファイル８２１のｘｘｘｘに対応し、ｙｙはサムネールとして登録された順番の数字が当てられ、ｚｚｚの部分は、たとえばサムネールのデータの種類が、非圧縮のビットマップならばｂｍｐとし、ＪＰＥＧ（Joint Photographic Experts Group）圧縮されたものである場合はｊｐｇとする。本実施例では、各プログラムファイルに対応するサムネールのファイルを、８３２〜８３４のように、それぞれ別々に記録されている。このように、複数のサムネールのファイルを１ファイルにまとめずに８３２〜８３４のように別々に記録することにより、サムネールのファイルを追加・削除する際の処理が容易となる。特に可搬型ハードディスクのように大容量の記録媒体において、サムネールのファイルを削除・追加した際の処理時間の短縮化を図ることができる。
【００９６】
図１２はプログラム情報１８０１であり、先の図１０におけるネームドストリームＰｒｏｇｒａｍＩｎｆｏ８２４の内容を示したものである。同図において、録画したＡＶストリームのオリジナルプログラムのプログラム総合情報１８０２として、本実施例の記録形式で記録された旨のプログラム識別情報１８０３、及び録画されたオリジナルプログラムのＡＶストリームの種類として、前述の実施例１で示したビデオカメラ１からネットワーク３を介して記録したデータである、前述の実施例５で示したデジタル放送ストリーム中から検出したデジタル放送特有の情報、または記録時にエンコードされたＡＶストリームである、などの識別情報であるストリームフォーマット情報１８０４、及び記録開始時刻や終了時刻、プログラムの名前やジャンルなどからなるストリームフォーマット詳細情報１８０５である。
【００９７】
このような方法で、上記に述べた画像や音声のデータおよびそのデータに付随する関連データは、前述の記録媒体上２１１，２１２などに記録される。
【実施例７】
【００９８】
（表示画面）
次に、データ送信装置２の表示部２８、選択部２９についての実施例を示す。
【００９９】
図１３は、データ送信装置２の表示部２８に表示される画像の例である。ここでも、データ送信装置２は、デジタルテレビである場合の例について説明する。
【０１００】
通常の放送番組視聴画面から、例えばリモコンの「ディスクナビゲーション」ボタンを押すと、図１３に示す録画番組の一覧が表示される。画面左側のタブ「ＡＬＬ」「内蔵ＨＤＤ」「外付ＨＤＤ」を図示しないリモコンのカーソルボタンにより選択することで選択部２９が選択して、選択したタブのデータ一覧が表示される。この例では、デジタルテレビ２の記録媒体２１１を選択部２９によりユーザが選択して、内蔵ＨＤＤのデータの一覧が表示されている。なお、「外付ＨＤＤ」は、デジタルテレビ２に記録媒体２１２が装着された場合にタブとして表示される。「ＡＬＬ」は全てのタブのデータ一覧が表示される。
【０１０１】
ここで、前述のように、サーバであるビデオカメラ１をデジタルテレビ２が検出した場合、図１４に示すように、「カメラ１」のタブが、表示部２８により追加表示される。上記と同様に、「カメラ１」のタブを選択すると、図１５に示すように、今度は、ビデオカメラ１のデータ一覧が表示される。ここでユーザは、この場合、例えば、図示しないがリモコンの「ダビング」ボタンを押すことで、図１６に示すダビングの表示画像に遷移する。ここでコピーしたいデータを選択するとそのデータアイコンがハイライトされる。次に、ダビング先を選択する。ここでは、「内蔵ＨＤＤ」が選択されているが、例えば「外付ＨＤＤ」を選択することも可能である。これらは、「ダビング先」を選択するとプルダウンメニューで複数のダビング先を表示してそこから一つを選択することで可能である。次に、ダビングモードを選択する。ここでは、「ＴＳ」が選択されている。「ＴＳ」とは、例えば、コピーしたいデータであるシステムストリームが、アイコンに示されているように「ＴＳ」であるので、そのままコピーされる。例えば、「ＳＰ」を選択すると、元々のビットレートより低いビットレートで内蔵ＨＤＤに記録することも可能である。実際には、前述のようにシステムストリームのビットレート変更を行って記録する。
【０１０２】
ユーザは、「ダビング開始」を選択すると、ビデオカメラ１からデータがネットワークを経由して送信され、内蔵ＨＤＤに記録される。
【０１０３】
図１７は、ビデオカメラ１から内蔵ＨＤＤ２１１に記録している途中に表示部２８に表示される画面の例である。例えば、転送、記録中は、放送番組視聴画面に切り替わり、その下方に転送の進捗状況を表示する。転送中には、転送元と転送先、図形の点滅による転送の様、進捗度合いが表示される。ここでは、転送のパーセンテージが表示されている。残り時間の表示でもよい。また、転送元および転送先は、ユーザの選択に応じて切り換える。同時に、前述のように、記録中のデータがデジタル放送ストリームであるかどうかを、前述のデジタル放送に関する特有情報の検出方法によって識別する。この場合は、ビデオカメラ１で撮影した動画であるので、図５に示したように、デジタル放送非該当のストリームとして、ローカルデータリストが追加更新される。
【０１０４】
転送が終了すると、放送番組視聴画面の下方に表示されていた転送の進捗状況が表示されなくなり、通常の放送番組視聴画面になる。
【０１０５】
ここで、ユーザが、内蔵ＨＤＤの内容を確認するため、リモコンの「ディスクナビゲーション」ボタンを押すと、録画番組の一覧が表示され、図１８のように、「内蔵ＨＤＤ」のタブを選択すると、ビデオカメラ１からコピーしたデータが追加されて表示される。  さらに、図１８では、「データセンタ」のタブが追加表示されている。これは、デジタルテレビ２が、ネットワークに接続されているデータセンタを検出したためである。
【０１０６】
図１９は、前述の「ダビング先」を選択してプルダウンメニューが表示されている画面の例である。ユーザは、この中からコピー先を選択する。
【０１０７】
図２０は、デジタルテレビ２から、データセンタへのコピーする場合のデジタルテレビ２の表示画面の例である。この例では、ビデオカメラ１からコピーしたデータを選択している。このデータは図５で示した「ＰＲＯＧ００１２．ＡＶＳ」である。ここで、制御回路１２１は、図５に示したローカルデータリストを参照して、選択されたデータが、デジタル放送該当か、非該当かを判断し、図５に示したように、デジタル放送非該当のストリームであるため、データセンタへのアップロードを許可する。
【０１０８】
図２１は、内蔵ＨＤＤ２１１からデータセンタ４にダビングすなわちアップロードしている途中に表示部２８に表示される画面の例である。例えば、転送中は、放送番組視聴画面に切り替わり、その下方に転送の進捗状況を表示する。前述の図１７と同様、表示中には、転送元と転送先、図形の点滅による転送の様、進捗度合いが表示される
さらに、図２２は、デジタルテレビ２から、データセンタ４へ、デジタル放送の録画番組であるデータをアップロードしようとした場合のデジタルテレビ２の表示画面の例である。この例では、図５に示したローカルデータリストのファイル「ＰＲＯＧ０００７．ＡＶＳ」を選択した場合を示す。この場合も上記と同様に、制御回路１２１は、図５に示したローカルデータリストを参照して、選択されたデータが、デジタル放送該当か、非該当かを判断し、図５に示したように、デジタル放送該当のストリームであると検出されているので、データセンタのアップロードを許可しない。例えば、ユーザがアップロードしようとしたデータがデジタル放送の録画番組であるため、データセンタ４へアップロードできない旨の警告を表示する。そのほか、デジタル放送該当のストリームであると検出されたデータは、デジタルテレビ２の表示画面のデータ一覧に表示しない方法もある。
【０１０９】
また、サーバデータリストにデジタル放送に関する特有情報の検出結果を含んでいる場合は、そのサーバのデータ一覧を表示する際に、デジタル放送該当のストリームであるデータに関しては、上記と同様の方法で、アップロードの許可の判断をすることも可能である。
【０１１０】
このように、ユーザは、デジタルテレビ２のリモコンを用いて、外部サーバから内蔵ＨＤＤへのデータのコピー、内蔵ＨＤＤから外部サーバへのデータのコピー、外部サーバから他の外部サーバへのデータコピーなどを、著作権を持つデータを保護しつつ、デジタルテレビ２の画面から容易に実行することができるため、使い勝手の良い装置を提供できる。
【図面の簡単な説明】
【０１１１】
【図１】本発明の第１の実施例であるデータ送信装置を含むビデオデータ転送システムを示す図である。
【図２】本発明に係るデータ送信装置の一実施例のブロック構成を示す図である。
【図３】本発明に係るデータ送信装置がビデオカメラとネットワークを介して接続した場合の動作フローを示す図である。
【図４】本発明に係る取得したサーバデータリストの一例を示す図である。
【図５】本発明に係る取得したローカルデータリストの一例を示す図である。
【図６】本発明に係るデータ送信装置がデータセンタとネットワークを介して接続した場合の動作フローを示す図である。
【図７】本発明に係るデータ送信装置の他の一実施形態を示すブロック図である。
【図８】本発明に係るデータ送信装置の他の一実施形態を示すブロック図である。
【図９】本発明に係るデータ送信装置がデータセンタとネットワークを介して接続した場合の動作フローを示す図である。
【図１０】本発明に係るデジタル放送ストリームを示す図である。
【図１１】本発明に係るデータ送信装置が記録媒体に記録するファイル構成の例を示す図である。
【図１２】本発明に係るデータ送信装置の特有情報検出部がデジタル放送ストリーム中から検出したデジタル放送特有の情報、または記録時にエンコードされたＡＶストリームである、などの識別情報である例を示す図である。
【図１３】本発明に係るデータ送信装置の表示部に表示される画像の例を示す図である。
【図１４】本発明に係るデータ送信装置の表示部が「カメラ１」のタブを追加表示した例を示す図である。
【図１５】本発明に係るデータ送信装置の表示部がビデオカメラ１のデータ一覧を表示した例を示す図である。
【図１６】本発明に係るデータ送信装置の表示部がダビングの表示画面を表示した例を示す図である。
【図１７】本発明に係るデータ送信装置の表示部がビデオカメラ１から内蔵ＨＤＤに記録している途中に表示した画面の例を示す図である。
【図１８】本発明に係るデータ送信装置の表示部がデータセンタを検出してタブを追加表示した例を示す図である。
【図１９】本発明に係るデータ送信装置の表示部がダビング先を選択するプルダウンメニューを表示した例を示す図である。
【図２０】本発明に係るデータ送信装置の表示部がビデオカメラ１からデータセンタへコピーする場合を表示した例を示す図である。
【図２１】本発明に係るデータ送信装置の表示部が内蔵ＨＤＤからデータセンタにアップロードしている途中に表示した画面の例を示す図である。
【図２２】本発明に係るデータ送信装置の表示部がデジタル放送番組をデータセンタにアップロードするようにユーザが選択した場合の表示画面を表示した例を示す図である。
【符号の説明】
【０１１２】
１…ビデオカメラ、２…データ送信装置、３…ネットワーク、４…データセンタ、  １０…撮影装置、１１…ＨＤＤ、１２…ブルーレイディスク媒体、１３…リスト生成・送出部、１４…データ送出部、２１…内蔵ＨＤＤ、２２…ネットワーク接続部、２３…サーバ検出部、２４…データ転送要求部、２５…データ転送制御部、２６…サーバリスト取得部、２７…ローカルデータリスト管理部、２８…表示部、２９…選択部、３０…特有情報検出部、４１…ネットワークストレージ、４２…リスト生成・送出部、４３…データ受信部、１０３…映像信号Ａ／Ｄコンバータ、１０４…音声信号Ａ／Ｄコンバータ、１０５…コピー制限情報検出回路、１０６１…映像信号切り換えスイッチ、１０６２…音声信号切り換えスイッチ、１０７…映像信号圧縮回路、１０８…音声信号圧縮回路、１０９…システムエンコーダ、１１０…バッファ制御回路、１１１…記録用バッファ、１１２…再生用バッファ、２１１…記録媒体、２１２…記録媒体、１１４…システムデコーダ、１１５…映像信号伸張回路、１１６…音声信号伸張回路、１１７…映像信号Ｄ／Ａコンバータ、１１８…音声信号Ｄ／Ａコンバータ。１２１…制御回路、１２２…グラフィクス回路、１２２１…暗号回路、１２２２…復号回路、１２３…表示パネル、１２４…ネットワーク接続端子、１２５…リモコン受信素子、１４１…デジタル信号入力端子、１４１…デジタル放送信号入力端子、１４２…デジタルチューナ。
【図１】
2010021905.tif 000003
【図２】
2010021905.tif 000004
【図３】
2010021905.tif 000005
【図４】
2010021905.tif 000006
【図５】
2010021905.tif 000007
【図６】
2010021905.tif 000008
【図７】
2010021905.tif 000009
【図８】
2010021905.tif 000010
【図９】
2010021905.tif 000011
【図１０】
2010021905.tif 000012
【図１１】
2010021905.tif 000013
【図１２】
2010021905.tif 000014
【図１３】
2010021905.tif 000015
【図１４】
2010021905.tif 000016
【図１５】
2010021905.tif 000017
【図１６】
2010021905.tif 000018
【図１７】
2010021905.tif 000019
【図１８】
2010021905.tif 000020
【図１９】
2010021905.tif 000021
【図２０】
2010021905.tif 000022
【図２１】
2010021905.tif 000023
【図２２】
2010021905.tif 000024